(57)【要約】  【課題】新規な美的に満足を与える履物製品、履物構造およびその製造方法を提供する。  【解決手段】  アッパー２０と接合されたミッドソール３０、およびミッドソール３０の底面３４に固定されたアウトソール４０を含む履物構造である。ミッドソール３０は、靴１０の長さに沿って実質的にミッドソール３０の底面３４のみにバリ３６を形成するが、ミッドソール３０の側壁３８には形成しないプロセスで、アッパー２０に直接取り付けられる。このバリ３６はトリミングされて、トリムライン３７が形成され、このトリムライン３７はミッドソール３０の底面３４にアウトソール４０を単に固定することにより隠される。【選択図】  図１
2005144149.tif 000002
【特許請求の範囲】
【請求項１】
履物製品であって、
下部を含むアッパーと、
前記履物製品の最前部と最後部との間の長さ方向に沿って延びたミッドソールであって、前記ミッドソールの目に見える外部を形成し前記最後部から前記最前部まで延びる対向した側壁、前記アッパーの前記下部に直接取り付けられた上面、及び前記側壁から予め選択された距離だけ内側に位置し前記側壁と一致していない少なくとも１つの底面トリムラインとを含む底面を有するミッドソールと、
前記ミッドソールの前記底面と接合して前記底面トリムラインを隠すアウトソールと
を備える履物製品。
【請求項２】
前記アウトソールは平坦である請求項１に記載の履物製品。
【請求項３】
前記ミッドソールの前記底面は、着用者の足の形状に対応する外縁を含む請求項１に記載の履物製品。
【請求項４】
前記アウトソールは、前記側壁が前記アウトソールにより覆われないように、前記ミッドソールの前記底面で終わっている請求項３に記載の履物製品。
【請求項５】
前記アッパーはインソールを含み、
前記インソールは前記アッパーの前記下部と接合して前記アッパーを閉じる請求項１に記載の履物製品。
【請求項６】
前記下部は、前記履物製品の中心に向かって内側に曲がる周縁を含む請求項１に記載の履物製品。
【請求項７】
前記ミッドソールは、前記最前部および前記最後部のうちの少なくとも一方のみに側壁トリムラインを含む請求項１に記載の履物製品。
【請求項８】
前記側壁トリムラインは垂直のみである請求項７に記載の履物製品。
【請求項９】
前記ミッドソールは、下型と前記下型に当接した対向する横型とを用いて形成され、
前記下型と前記横型との間にはシームが存在し、
前記底面トリムラインは前記シームに対応する請求項１に記載の履物製品。
【請求項１０】
履物構造であって、
アッパーと、
外側側壁、内側側壁、前記アッパーに直接取り付けられる上面、および底面を含むミッドソールであって、前記内側側壁および前記外側側壁は前記底面から前記アッパーまで上方に延び、前記底面は内側縁に沿って前記内側側壁との境界を有すると共に外側縁に沿って前記外側側壁との境界を有し、前記ミッドソールは前記外側側壁および前記内側側壁の内側に位置する底面トリムラインを含むミッドソールと、
前記ミッドソールの前記底面と接合して前記底面トリムラインのほぼ全てを隠すアウトソールと
を備える履物構造。
【請求項１１】
前記アウトソールは平坦であり、前記ミッドソールの幅にわたってのみ延びる請求項１０に記載の履物構造。
【請求項１２】
前記底面トリムラインは、着用者の足の形状に対応する請求項１０に記載の履物構造。
【請求項１３】
前記外側側壁および前記内側側壁は、前記ミッドソールの前方部および後方部のうちの少なくとも一方で終わり、
前記前方部および前記後方部のうちの一方のみに側壁トリムラインが位置する請求項１２に記載の履物構造。
【請求項１４】
前記アッパーは下部を含み、
前記下部にインソールが固定され、
前記ミッドソールは前記インソールに直接取り付けられる請求項１０に記載の履物構造。
【請求項１５】
前記ミッドソールは、
前記ミッドソールの最前部に垂直な第１の側壁トリムラインと、
前記ミッドソールの最後部に垂直な第２の側壁トリムラインと
を含む請求項１０に記載の履物構造。
【請求項１６】
履物製品を製造する方法であって、
アッパーを設けることと、
ミッドソールキャビティを画定するために、前記ミッドソールの少なくとも１つの側壁に対応する第１の表面を含む複数の横型を、前記ミッドソールの底面の少なくとも一部に対応する第２の表面を含む下型に対して閉じて、さらに前記下型および前記横型が互いの間にシームを画定することと、
前記少なくとも１つの側壁および前記底面を含む前記ミッドソールを形成するために、前記シームに滲出して前記ミッドソールの前記底面のみに位置するバリを形成する材料を、前記ミッドソールキャビティに導入することと、
前記ミッドソールを前記横型及び前記下型から取り外すことと、
前記ミッドソールにアウトソールを固定することと
を含む履物製品を製造する方法。
【請求項１７】
底面トリムラインを形成するために、前記アウトソールを前記ミッドソールに取り付ける前に、前記バリを除去することを含む請求項１６に記載の履物製品を製造する方法。
【請求項１８】
前記ミッドソールの前記底面のみに前記アウトソールを固定することを含む請求項１６に記載の履物製品を製造する方法。
【請求項１９】
前記アッパーは下部を含み、
前記アッパーは前記下部と接合されたインソールで閉じられる請求項１６に記載の履物製品を製造する方法。
【請求項２０】
前記トリムラインは、前記ミッドソールの前記側壁から予め選択された距離だけ内側に位置する請求項１６に記載の履物製品を製造する方法。
【発明の詳細な説明】
【技術分野】
【０００１】
本発明は、履物製品、履物構造および履物製品を製造する方法に関する。
【背景技術】
【０００２】
従来の履物構造のほとんどは、アッパーおよびアウトソールを含んでいる。アッパーは着用者の足を包囲し、アウトソールは地面と接触し、履物の磨耗面を形成する。多くの履物構造は、アッパーとアウトソールとの間に配置されたミッドソールも含んでおり、これはクッション性および快適性を高めるためのものである。具体的には、ミッドソールは、アッパーと、より剛性および耐久性のあるアウトソールとの間に、クッションを提供する柔らかく弾性のある材料から構成される。
【０００３】
ミッドソールを含む履物は通常、ミッドソールが金型中でアッパーに「直接取り付けられる」プロセスを用いて構成される。しかしながら、従来の直接取り付けるための金型は、完成したミッドソールの目に見える側壁に「バリ」とも呼ばれる過剰材料が形成されてしまうような方法で、互いに嵌まり合う金型部品を含む。このバリは、ミッドソールの側壁からトリミングせねばならず、その際に側壁にトリムラインが形成される。履物構造を完成させるために、アウトソールは、ミッドソールであってアッパーとは反対側に接着される。
【発明の開示】
【発明が解決しようとする課題】
【０００４】
直接取り付けられるミッドソール構造により、履物には緩衝作用が提供されるが、その結果生じるトリムラインの露出は、いかにきれいにトリミングしたとしても美的に不満が残り、履物に不完全な概観を呈する。
【０００５】
ミッドソール側壁のトリムラインを隠すための１つの試みでは、トリムラインが隠れるほど十分な高さでミッドソール側壁に隣接して上方に延びるフランジを伴って、アウトソールをＵ字形に形成する。このタイプの構造は、「カップ状」アウトソールと呼ばれる。この構造により、靴は美的で、より満足を与えるものとなるが、アウトソールのフランジにより靴の全幅が増し、フランジが曲げに抵抗するため、靴の可撓性が低くなる。
【０００６】
本発明は、上述の問題を解決するためになされたもので、新規な美的に満足を与える履物製品、履物構造およびその製造方法を提供することを目的とする。
【課題を解決するための手段】
【０００７】
本発明に係る履物製品は、下部を含むアッパーと、履物製品の最前部と最後部との間の長さ方向に沿って延びたミッドソールであって、ミッドソールの目に見える外部を形成し最後部から最前部まで延びる対向した側壁と、アッパーの下部に直接取り付けられた上面と、側壁から予め選択された距離だけ内側に位置し側壁と一致していない少なくとも１つの底面トリムラインを含む底面とを有するミッドソールと、ミッドソールの底面と接合して底面トリムラインを隠すアウトソールとを備える。
アウトソールは平坦である。
ミッドソールの底面は、着用者の足の形状に対応する外縁を含む。
アウトソールは、側壁がアウトソールにより覆われないように、ミッドソールの底面で終わっている。
アッパーはインソールを含み、インソールはアッパーの下部と接合してアッパーを閉じる。
下部は、履物製品の中心に向かって内側に曲がる周縁を含む。
ミッドソールは、最前部および最後部のうちの少なくとも一方のみに側壁トリムラインを含む。
側壁トリムラインは垂直のみである。
ミッドソールは、下型と下型に当接した対向する横型とを用いて形成され、下型と横型との間にはシームが存在し、底面トリムラインはシームに対応する。
【０００８】
本発明に係る履物構造は、アッパーと、外側側壁、内側側壁、アッパーに直接取り付けられる上面、および底面を含むミッドソールであって、内側側壁および外側側壁は底面からアッパーまで上方に延び、底面は内側縁に沿って内側側壁との境界を有すると共に外側縁に沿って外側側壁との境界を有し、ミッドソールは外側側壁および内側側壁の内側に位置する底面トリムラインを含むミッドソールと、ミッドソールの底面と接合して底面トリムラインのほぼ全てを隠すアウトソールとを備える。
ミッドソールは、下型と下型に当接した対向する横型とを用いて形成され、下型と横型との間にはシームが存在し、底面トリムラインはシームに対応する。
底面トリムラインは、着用者の足の形状に対応する。
外側側壁および内側側壁は、ミッドソールの前方部および後方部のうちの少なくとも一方で終わり、前方部および後方部のうちの一方のみに側壁トリムラインが位置する。
アッパーは下部を含み、下部にインソールが固定され、ミッドソールはインソールに直接取り付けられる。
ミッドソールは、ミッドソールの最前部に垂直な第１の側壁トリムラインと、ミッドソールの最後部に垂直な第２の側壁トリムラインとを含む。
【０００９】
本発明に係る履物製品を製造する方法は、アッパーを設けることと、ミッドソールキャビティを画定するために、ミッドソールの少なくとも１つの側壁に対応する第１の表面を含む複数の横型を、ミッドソールの底面の少なくとも一部に対応する第２の表面を含む下型に対して近接させ、さらに下型および横型が互いの間にシームを画定することと、少なくとも１つの側壁および底面を含むミッドソールを形成するために、シームに滲出してミッドソールの底面のみに位置するバリを形成する材料を、ミッドソールキャビティに導入することと、ミッドソールを横型及び下型から取り外すことと、ミッドソールにアウトソールを固定することとを含む。
トリムラインを形成するために、アウトソールをミッドソールに取り付ける前に、バリを除去することを含む。
ミッドソールの底面のみにアウトソールを固定することを含む。
アッパーは下部を含み、アッパーは下部と接合されたインソールで閉じられる。
トリムラインは、ミッドソールの側壁から予め選択された距離だけ内側に位置する。
【００１０】
本発明によれば、ミッドソールに平坦なアウトソールを固定することにより、ミッドソールの底部のトリムラインをアウトソールで隠すことができるので、新規な美的に満足を与える履物構造を提供することができる。これにより、履物構造のソール組立品の幅を最小にすることができる。さらに、アウトソールでミッドソールの側壁を上方に覆う必要がないため、完成した履物はカップ状アウトソールを含む従来の履物よりも実質的に可撓性を高くすることができる。
【発明を実施するための最良の形態】
【００１１】
本発明の実施形態に係る履物製品を図１〜図３に示す。靴１０は、ミッドソール３０と接合されたアッパー２０を含み、ミッドソール３０はさらにアウトソール４０と接合される。ミッドソール３０は、ミッドソール３０の成形プロセス中に形成される過剰材料、すなわちバリ３６（図２）が、実質的にミッドソール３０の底面３４のみに位置付けられるように形成される。この過剰材料がトリミングされて、底面３４に底面トリムラインであるトリムライン３７（図３）が形成される。このトリムライン３７は、アウトソール４０がミッドソール３０に取り付けられると隠れる。
【００１２】
複数のパネル、すなわちバンプ２３、サイドパネル２２、およびバックステイ２４から構成されるアッパー２０を含むカジュアルシューズを例にして、本発明を開示する。しかしながら、本発明は、他のマルチスポーツシューズ、アウトドアシューズ、ウォーキングシューズ、運動靴、および作業靴を含む他のタイプの履物で用いるのに適している。
【００１３】
次に、本発明の靴１０の構成要素をより詳細に説明する。アッパー２０は、概して従来通りのものであり、サイドパネル２２、バンプ２３、およびバックステイ２４を含む。アッパー２０は、ミッドソール３０に直接取り付けられる下部周縁２６で終端となる。アッパー２０は、革、カンバス、ナイロン、または他の適切な材料から製造されることが好ましく、裏地（図示せず）または他の従来の付属品を含んでもよい。対向する下部周縁２６は、任意選択でアッパー２０の下部を閉じるために、直接縫い合わせられてもよく、かつ／または着用者の足の形状のインソール２８に縫い付けられてもよい。
【００１４】
アウトソール４０は、比較的硬いゴムまたは十分な耐久性および磨耗耐性を有する他の材料から構成される。アウトソール４０は、外面４２および上面４４を含む。外面４２は、アウトソール４０の磨耗面を形成し、所望のトレッドパターンを画定するように輪郭を付けることができる。さらに、外面４２は、靴の滑り止め性（traction）や美的魅力を高めるようび模様をつけてもよい。概して、アウトソール４０の上面４４はほぼ平坦であるが、靴の内側および／または外側および／または前部および後部に沿って上方に延びる１つまたは複数の壁を、所望に応じてミッドソール３０の側壁３８に沿って含んでもよい。任意選択で、アウトソール４０は、ミッドソール３０に沿って上方に延びる際に凸部および／または凹部を含んでもよい。アウトソール４０の上面４４は、セメントまたは他の許容可能な接着剤を用いて底面３４に固定することができる。
【００１５】
ミッドソール３０は上面３２を含み、この上面３２はアッパー２０および／またはインソール２８に直接取り付けられる。ミッドソール３０はさらに、アッパー２０からアウトソール４０まで垂直下方に延びる側壁３８を含む。側壁３８は、履物の最前部から履物の最後部まで、足の外側および／または足の内側に沿って延びていてもよい。側壁３８がその最下部で終わる所から、底面３４が開始する。ちなみに、側壁３８は、垂直方向に、すなわちミッドソール３０の高さ方向に上下するように波打つか、または水平方向に、すなわち履物の中心線に対して進退するように波打つ、１つまたは複数の不規則な線に沿って終わってもよい。さらに、側壁３８は、完成した履物の所望の外観または機能を提供するような表面にしたり、輪郭を付けてもよい。底面３４は、着用者の足の外側に対応する履物の１つの外側側壁から、着用者の足の内側に対応する履物の内側側壁まで、ミッドソール３０の底部の幅にわたって延びる。アウトソール４０は履物の最前部から履物の最後部まで延びてもよい。
【００１６】
図２に最もよく示されるように、完成前のミッドソール３０は、底面３４にバリ３６を含む。このバリ３６は、以下で説明する成形プロセス中の金型部品間から滲出する過剰材料から形成される。バリ３６は、切削、研削、溶融等のバリの除去により、トリミングされて、１つまたは複数のトリムライン３７（図３）が形成され、このトリムライン３７は、バリ３６の全部または一部がミッドソール３０の底面３４に付着していた場所と一致する。バリ３６およびその後のトリムライン３７は、１つまたは複数の横型が下型に当接してミッドソールキャビティを画定する場所にも対応する。トリムライン３７は、アウトソール４０に影響を及ぼさないか、またはアウトソール４０がミッドソール３０の底面３４に申し分なく固定されることを妨げないほど十分に短い距離だけ残って底面３４から延びているバリ３６の部分を含む場合もある。
【００１７】
バリ３６およびトリムライン３７は、ミッドソール３０の外縁（これ自体は着用者の足の形状に対応する）にほぼ対応して図示されているが、これらの構造は任意の所望の形状であってもよい。底面３４のバリ３６に加えて、以下で説明するように、他のバリ３９が、成形作業におけるミッドソール材料の導入の時点で、ミッドソール３０の最後部に位置する場合がある。
【００１８】
図１および図３に示すように、アウトソール４０の上面４４は底面３４に固定される。トリムライン３７は底面３４のみに位置するため、アウトソール４０によって隠れる。図１は、トリミングされてトリムライン３７が形成されなければバリ３６が存在するであろう場所を示す。さらに、靴の前部から靴の後部まで靴の長さ方向に沿って、ミッドソール３０の側部に沿って延びる側壁３８には、トリムライン３７が実質的にないため、底面３４から上方に側壁３８をアウトソール４０で覆う必要がない。しかしながら、この構成が望ましい場合、アウトソール４０は、側壁３８に隣接して上方に延びる壁またはフランジを含んでもよい。
【００１９】
ミッドソール３０は、弾性および可撓性を有する合成材料、例えばポリウレタンから構成されることが好ましい。ポリウレタンは、履物業界では一般的に既知であるため、ここでは詳細に説明しない。ポリウレタンの剛性および可撓性は、材料を構成するための反応物質のタイプ、割合、および量を調整する等、様々な既知の技法を用いて、所望に応じて用途ごとに変えることができる。さらに、ポリウレタンの剛性および可撓性は、用いるポリウレタンの体積を調整することにより変えることができる。ポリウレタンは好ましいミッドソール材料であるが、ミッドソール材料の密度および厳密な化学組成は、ミッドソールのサイズ、ならびに履物の所望の緩衝作用および可撓特性を含む様々な因子に応じて変わるであろう。
【００２０】
次に、本発明の実施形態に係る履物製品の製造方法について説明する。
靴１０は、直接取り付け機（direct attach machinery）を用いて製造される。まず、一般的な従来技法および装置を用いてアッパー２０を製造する。所望のアッパー材料（図示せず）を切断して、サイドパネル２２、バックステイ２４、およびバンプ２３を含むアッパー２０の種々の要素を形成する。次に、アッパー２０の要素を張り合わせて縫い合わせる。張り合わせ工程の際に、アッパー２０内に裏地（図示せず）を縫い付けてもよい。インソール２８を、縫合、接着剤、またはセメントを用いてアッパー２０の下部周縁２６に固定する。任意選択で、アッパー２０の下部周縁２６は、靴１０のほぼ中間で互いに当接し、所望の通りに縫い合わせられてもよい。
【００２１】
ミッドソールを直接取り付けるための成形作業の準備に際して、張り合わせられたアッパー２０を靴型５０の上で伸ばす。横型５２および下型５９からなるミッドソール金型６０（図４）に対して、靴型５０を押し下げる。横型５２および下型５９は、協働してキャビティ３３を画定し、靴型５０が図４に示す位置にある場合、キャビティ３３はインソール２８およびアッパー２０の下部周縁２６と密接して画定される。「ミッドソールキャビティ」とも呼ばれるこのキャビティ３３は、ミッドソール３０の所望の形状にほぼ対応する。
【００２２】
横型５２は、ミッドソール３０の側壁３８に対応する金型側壁面５６を含む。金型側壁面５６は、金型底面５４につながっている。金型底面５４は、ミッドソール３０が形成された後に、ミッドソール３０の底面３４の一部に対応する。
【００２３】
下型５９は、横型５２に当接し、底面３４の全部または一部を形成する。下型５９は主要金型底面５８を含み、主要金型底面５８は、金型底面５４の内側に位置すると共に、形成されたバリ３６により金型底面５４から隔てられる。横型５２が下型５９に当接しているにもかかわらず、下型５９と横型５２との間には底部シーム５３が存在する。２つの対向する側壁３８がキャビティ３３の最後部および／または最前部において互いに当接する場所には、別のシーム５５が存在する。
【００２４】
金型６０の金型部品、すなわち横型５２および下型５９を、キャビティ３３を形成するように位置決めすると、ミッドソール３０を形成するのに適した量の材料を、ポート５７を通してキャビティ３３に射出または注入する。金型６０がしっかりとアッパー２０を保持することによって、材料３１がキャビティ３３の上部から出ることを防ぐのが好ましい。材料３１は、キャビティ３３に導入されると、図５に示す構成が得られるまでキャビティ３３を実質的に満たす。図示のように、横型５２と下型５９との間に画定されたシーム５３に過剰材料が滲出する。滲出しているこの材料は最終的に、実質的にミッドソール３０の底面３４のみにバリ３６を形成するが、側壁３８に沿っては形成しない。バリ３６は、側壁３８から距離５４だけ内側に形成され、所望に応じて予め選択されてもよい。一実施形態では、距離５４は、底面３４の外縁の周りでほぼ均一である。しかしながら、所望に応じて、バリ３６を側壁３８から任意の距離だけ内側に形成することができる。
【００２５】
図６に示すように、材料３１がアッパー２０および／またはインソール２８にミッドソール３０を直接取り付けるのに十分なほど硬化した後、靴型５０を垂直方向矢印で示す方向に上方に移動させる。ミッドソール３０が直接取り付けられたアッパー２０は、トリミングのために靴型５０から取り外すことができる。
【００２６】
図２および図３に示すように、バリ３６を底面３４からトリミングし、トリムライン３７を残す。任意選択で、ミッドソール３０の最後部にあるいかなるバリ３９もトリミングして、１本のほぼ垂直な側壁トリムラインを形成することができる。バリがミッドソール３０の最前部の横型５２間でも形成される場合、これも同様にしてトリミングすることができる。底面３４からバリ３６をトリミングして、アウトソール４０を所望に応じてセメントまたは接着剤を用いてこの底面３４に固定する。したがって、実質的に底面３４のみにあるトリムライン３７は、アウトソール４０がミッドソール３０と接合されると、アウトソール４０によって隠れる。
【００２７】
いくつかの従来の仕上げ作業を靴１０に対して行う。例えば、アッパー２０に隣接する縁をトリミングおよび成形し、アッパー２０を必要に応じて洗浄、研磨、および処理し、アッパー２０の鳩目に靴紐を通す。
【図面の簡単な説明】
【００２８】
【図１】本発明のミッドソール構造を組み込んだ履物製品の断面図である。
【図２】バリがミッドソールからトリミングされる前の履物製品の下部斜視図である。
【図３】バリがミッドソールからトリミングされた後の履物製品の下部斜視図である。
【図４】金型中でアッパーと接合されているミッドソールの断面図である。
【図５】金型中でアッパーと接合されたミッドソールの断面図である。
【図６】金型から取り外されているアッパーに取り付けられたミッドソールの断面図である。
【符号の説明】
【００２９】
１０  靴、２０  アッパー、２６  下部周縁、２８  インソール、３０  ミッドソール、３１  材料、３２  上面、３３  キャビティ、３４  底面、３６，３９  バリ、３７  トリムライン、３８  側壁、４０  アウトソール、４２  外面、４４  上面、５２  横型、５３，５５  シーム、５４  距離、５９  下型。
【図１】
2005144149.tif 000003
【図２】
2005144149.tif 000004
【図３】
2005144149.tif 000005
【図４】
2005144149.tif 000006
【図５】
2005144149.tif 000007
【図６】
2005144149.tif 000008